(57)【要約】【課題】水の浸入から電子基板を保護する。【解決手段】電子基板４４の板面４４Ａを覆う操作パネル４１と、電子基板４４の板面４４Ａに実装されたロータリスイッチ４３０に接続されて回転可能に設けられ操作パネル４１に形成された孔４１Ｃを介して操作パネル４１から突出して設けられた操作ダイヤル４３と、操作ダイヤル４３と電子基板４４の板面４４Ａとの間に設けられた防壁４７と、を備える。操作パネル４１の孔４１Ｃから操作パネル４１の内側に浸入した水は、操作ダイヤル４３と電子基板４４との間に設けられた防壁４７により遮られ電子基板４４に至らない。従って、水の浸入から電子基板４４を保護できる。【選択図】図４
2020059524.tif 000002
【特許請求の範囲】
【請求項１】
電子基板の板面を覆う操作パネルと、
前記電子基板の前記板面に実装された電子部品に接続されて回転可能に設けられ前記操作パネルに形成された孔を介して前記操作パネルから突出して設けられた操作ダイヤルと、
前記操作ダイヤルと前記電子基板の前記板面との間に設けられた防壁と、
を備えることを特徴とする飲料供給機。
【請求項２】
前記防壁は、前記孔を介して浸入した水を前記電子基板の外側に排水することを特徴とする請求項１に記載の飲料供給機。
【請求項３】
前記電子基板は、前記板面を水平方向に対して立てて配置され、前記防壁は、前記電子基板の前記板面に沿う板状に形成され、当該板状の前記操作ダイヤルに向く面に沿って上下方向に延在するリブが形成されていることを特徴とする請求項１または２に記載の飲料供給機。
【請求項４】
前記電子基板に取り付けられて前記操作ダイヤルの周りを囲んで配置された支持部材をさらに備え、前記防壁は、前記支持部材に設けられていることを特徴とする請求項１〜３のいずれか１項に記載の飲料供給機。
【請求項５】
前記支持部材は、前記操作パネルの内面に対向して前記操作ダイヤルを囲む円弧状の端面を有し、前記端面は、前記操作ダイヤルを囲む内周に位置する内端面部と前記操作ダイヤルを囲む外周に位置する外端面部とに分離する段差が形成され、当該段差により前記内端面部が前記外端面部よりも前記操作パネルの前記内面から遠ざかるように形成されていることを特徴とする請求項４に記載の飲料供給機。
【請求項６】
前記電子基板の前記板面に前記操作ダイヤルの周囲に沿って複数の発光素子が設けられており、前記支持部材は、各前記発光素子を個々に囲み前記操作パネルに向けて前記端面にて開口する複数の遮光部が形成されていることを特徴とする請求項５に記載の飲料供給機。
【請求項７】
前記支持部材は、前記操作ダイヤルの回転の中心に設けられた軸部を挿通する筒状の凸部が形成されていることを特徴とする請求項４〜６のいずれか１項に記載の飲料供給機。
【発明の詳細な説明】
【技術分野】
【０００１】
本発明は、飲料供給機に関する。
【背景技術】
【０００２】
従来、飲料供給機は、使用者の操作に応じて水などの飲料物を注出口から容器に注ぎ出す。飲料供給機は、操作パネルから操作ダイヤルが突出して設けられている。操作ダイヤルは、例えば、注出口から注ぎ出される飲料物の設定を回転操作により行うために、回転可能に設けられている（例えば、特許文献１）。
【先行技術文献】
【特許文献】
【０００３】
【特許文献１】特開２０１７−１４１０５２号公報
【発明の概要】
【発明が解決しようとする課題】
【０００４】
上述した従来の飲料供給機は、操作ダイヤルを回転可能とするために操作パネルに形成した孔を介して操作ダイヤルを突出させており、操作ダイヤルと操作パネルとの間に隙間が生じている。操作ダイヤルは、電子基板に実装された電子機器に接続されている。このような構成において、例えば、飲料供給機の上部に設置されるボトルの水が操作パネルに滴った場合、この水が操作ダイヤルと操作パネルとの隙間から浸入して電子基板に付着するおそれがある。
【０００５】
そこで、本発明は、上記に鑑みてなされたものであって、水の浸入から電子基板を保護することのできる飲料供給機を提供することを目的とする。
【課題を解決するための手段】
【０００６】
上述した課題を解決し、目的を達成するために、本発明に係る飲料供給機は、電子基板の板面を覆う操作パネルと、前記電子基板の前記板面に実装された電子部品に接続されて回転可能に設けられ前記操作パネルに形成された孔を介して前記操作パネルから突出して設けられた操作ダイヤルと、前記操作ダイヤルと前記電子基板の前記板面との間に設けられた防壁と、を備えることを特徴とする。
【０００７】
また、上記飲料供給機において、前記防壁は、前記孔を介して浸入した水を前記電子基板の外側に排水することが好ましい。
【０００８】
また、上記飲料供給機において、前記電子基板は、前記板面を水平方向に対して立てて配置され、前記防壁は、前記電子基板の前記板面に沿う板状に形成され、当該板状の前記操作ダイヤルに向く面に沿って上下方向に延在するリブが形成されていることが好ましい。
【０００９】
また、上記飲料供給機において、前記電子基板に取り付けられて前記操作ダイヤルの周りを囲んで配置された支持部材をさらに備え、前記防壁は、前記支持部材に設けられていることが好ましい。
【００１０】
また、上記飲料供給機において、前記支持部材は、前記操作パネルの内面に対向して前記操作ダイヤルを囲む円弧状の端面を有し、前記端面は、前記操作ダイヤルを囲む内周に位置する内端面部と前記操作ダイヤルを囲む外周に位置する外端面部とに分離する段差が形成され、当該段差により前記内端面部が前記外端面部よりも前記操作パネルの前記内面から遠ざかるように形成されていることが好ましい。
【００１１】
また、上記飲料供給機において、前記電子基板の前記板面に前記操作ダイヤルの周囲に沿って複数の発光素子が設けられており、前記支持部材は、各前記発光素子を個々に囲み前記操作パネルに向けて前記端面にて開口する複数の遮光部が形成されていることが好ましい。
【００１２】
また、上記飲料供給機において、前記支持部材は、前記操作ダイヤルの回転の中心に設けられた軸部を挿通する筒状の凸部が形成されていることが好ましい。
【発明の効果】
【００１３】
本発明に係る飲料供給機では、操作パネルの孔から操作パネルの内側に浸入した水は、操作ダイヤルと電子基板との間に設けられた防壁により遮られ電子基板に至らない。従って、本発明に係る飲料供給機は、防壁により、水の浸入から電子基板を保護できる。
【図面の簡単な説明】
【００１４】
【図１】図１は、飲料供給機の構成例を示す模式図である。
【図２】図２は、飲料供給機の構成例を示す斜視図である。
【図３】図３は、飲料供給機の要部の構成例を示す斜視図である。
【図４】図４は、飲料供給機の要部の構成例を示す断面図である。
【図５】図５は、飲料供給機の要部の構成例を示す拡大斜視図である。
【発明を実施するための形態】
【００１５】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換または変更を行うことができる。
【００１６】
［実施形態］
実施形態に係る飲料供給機について説明する。図１は、飲料供給機の構成例を示す模式図である。図２は、飲料供給機の構成例を示す斜視図である。図３は、飲料供給機の要部の構成例を示す斜視図である。図４は、飲料供給機の要部の構成例を示す断面図である。図５は、飲料供給機の要部の構成例を示す拡大斜視図である。
【００１７】
飲料供給機１は、例えば、ウォーターサーバーであり、使用者の操作に応じて飲料水などの飲料物を容器に注ぎ出すものである。飲料供給機１は、図１に示すように、貯留部１０と、供給機本体２０と、注出装置３０と、操作部４０と、を備える。
【００１８】
貯留部１０は、飲料水などの飲料物を貯留する容器である。貯留部１０は、内部に飲料物が貯留された状態で、供給機本体２０の上部に配置されるものであり、供給機本体２０に保持または収容される。貯留部１０は、例えば、貯留された飲料物が使い果たされた際に、飲料物が貯留された新たな容器に交換される。本実施形態では、貯留部１０は、供給機本体２０の鉛直方向における上側で保持されるものとして例示する。
【００１９】
供給機本体２０は、貯留部１０の飲料物を注出装置３０に供給するものである。例えば、供給機本体２０は、貯留部１０から流入してきた飲料物を常温で注出装置３０に供給したり、冷やしたり温めたりして注出装置３０に供給する。供給機本体２０は、筐体２１の内部に、図には明示しないが、分配供給路と、保冷容器と、保温容器と、冷水流路と、温水流路と、常温流路と、を備える。分配供給路は、飲料物の流入側が貯留部１０に接続され、貯留部１０から流入してきた飲料物を、例えば、保冷容器、保温容器、または常温流路に分配する。保冷容器は、冷却装置を備えて使用者などが設定した所定温度に飲料物を冷やして貯留する。保温容器は、加熱装置を備えて使用者などが設定した所定温度に飲料物を温めて貯留する。冷水流路は、保冷容器に接続されて保冷容器の冷たい飲料物を注出装置３０に流す。温水流路は、保温容器に接続されて保温容器の温かい飲料物を注出装置３０に流す。常温流路は、分配供給路を介して貯留部１０に接続され、貯留部１０の常温の飲料物を注出装置３０に流す。
【００２０】
供給機本体２０は、筐体２１の正面側にフロントパネル２１０が配置される。フロントパネル２１０は、中央部に矩形の開口２１０Ａが形成され、当該開口２１０Ａに意匠パネル２１１が取り付けられる。意匠パネル２１１は、合成樹脂材料などから形成され、図１および図２に示すように、その鉛直方向の上部に正面側に突出した凸所２１１Ａを有し、鉛直方向の下部に背面側に凹んだ凹所２１１Ｂを有する。意匠パネル２１１は、凸所２１１Ａに操作部４０が設けられ、凹所２１１Ｂに注出装置３０が設けられる。
【００２１】
注出装置３０は、使用者の操作に応じて供給機本体２０の飲料物を注ぎ出すものである。注出装置３０は、図１および図２に示すように、注出口３１と、押圧部３２と、を備える。
【００２２】
注出口３１は、貯留部１０に貯留された飲料物を外部に注ぎ出すものである。注出口３１は、凹所２１１Ｂにおいて上面の天井部２１３に設けられ、天井部２１３から鉛直方向の下方に向けて配置されている。注出口３１は、上述した冷水流路、温水流路、および常温流路に接続される。注出口３１は、鉛直方向の下側に向けて飲料物を注ぎ出す。押圧部３２は、注出口３１から飲料物を注出させたり、注出されている飲料物を停止させたりするスイッチとなるものである。
【００２３】
押圧部３２は、押圧板３２０と、図示しないスイッチ回路とを備える。押圧板３２０は、凹所２１１Ｂにおいて正面側の開口に対して奥面となる後壁２１４に設けられ、注出口３１の下方に配置されている。押圧板３２０は、供給機本体２０の前後方向に移動可能であり、前方に突出するように付勢されている。押圧部３２は、使用者により押圧板３２０が後方に押圧された場合にスイッチ回路がＯＮし、押圧板３２０が押圧されず前方に突出した場合にスイッチ回路がＯＦＦする。押圧部３２は、スイッチ回路がＯＮされた場合に飲料物を注出することを示す注出信号を図示しない制御装置に出力し、スイッチ回路がＯＦＦされた場合に飲料物の注出を停止することを示す注出停止信号を制御装置に出力する。
【００２４】
操作部４０は、注出口３１から注ぎ出される飲料物の設定をするためのものである。操作部４０は、意匠パネル２１１の凸所２１１Ａに設けられている。操作部４０は、図１および図２に示すように、供給機本体２０の外側において、操作パネル４１と、操作スイッチ４２と、操作ダイヤル４３と、を備え、図３〜図５に示すように、供給機本体２０の内側において電子基板４４と、基板ケース４５と、支持部材４６と、防壁４７と、を備える。
【００２５】
操作パネル４１は、板状に形成され、意匠パネル２１１の突出した凸所２１１Ａの正面の開口２１５を塞ぐように取り付けられている。操作パネル４１は、その外面４１Ａが、意匠パネル２１１の凸所２１１Ａが突出した正面に沿って設けられている。操作パネル４１は、凸所２１１Ａの正面に沿って設けられ、外面４１Ａが水平方向に対して立ち、かつ上方に向けて傾斜するように切り立って配置される。
【００２６】
操作スイッチ４２は、操作パネル４１の外面４１Ａ側から押下操作することが可能なスイッチである。操作スイッチ４２は、実質は操作パネル４１の内側に配置されている。操作スイッチ４２は、その押下操作により、図示しない制御装置に制御信号を出力できる。例えば、操作スイッチ４２の押下操作により、飲料物を注ぎ出すことを不可としたり、飲料物を注ぎ出すことを許可したりできる。操作スイッチ４２は、電子部品であり、図３および図５に示すように、電子基板４４に実装されている。
【００２７】
操作ダイヤル４３は、操作パネル４１の外側で回転操作することが可能なダイヤルである。操作ダイヤル４３は、操作パネル４１の内側に配置されて一部が操作パネル４１に形成された孔４１Ｃを介して外側に突出して設けられている。操作ダイヤル４３は、その回転操作により、図示しない制御装置に制御信号を出力できる。例えば、操作ダイヤル４３の回転操作による回転位置に基づき、注出口３１から注ぎ出される飲料物を、冷たい飲料物や温かい飲料物や常温の飲料物に変更するなど様々な設定ができる。操作ダイヤル４３は、図４に示すように、電子基板４４に実装された電子部品であるロータリスイッチ４３０の軸４３０Ａに接続され、回転可能に設けられる。
【００２８】
操作ダイヤル４３は、図４に示すように、ダイヤル本体４３１と、キャップ４３２と、カバー４３３と、を有する。
【００２９】
ダイヤル本体４３１は、操作ダイヤル４３の基部を構成するもので、円筒状の外形部４３１Ａと、操作ダイヤル４３の回転の中心に設けられた軸部４３１Ｂと、を含む。外形部４３１Ａは、操作パネル４１の外側に突出する外側端が閉塞され、操作パネル４１の内側に配置される内側端が開口して形成されている。外形部４３１Ａは、内側端において中心から離れる方向である径方向外側に突出するフランジ４３１Ａａが円筒状の周方向に連続して形成されている。軸部４３１Ｂは、操作ダイヤル４３の回転の中心となる外形部４３１Ａの円筒状の中心に配置されている。軸部４３１Ｂは、外筒４３１Ｂａと内筒４３１Ｂｂとで２重に形成されている。軸部４３１Ｂは、外形部４３１Ａの中心に各筒４３１Ｂａ，４３１Ｂｂの中心を一致するように外形部４３１Ａと一体に形成されている。外筒４３１Ｂａは、外形部４３１Ａの内部において外形部４３１Ａの外側端に繋がり外形部４３１Ａと一体に形成されている。外筒４３１Ｂａは、外形部４３１Ａの内側端と同等の位置まで延在して端部が開口して形成されている。内筒４３１Ｂｂは、外筒４３１Ｂａの内部に設けられて外筒４３１Ｂａと一体に形成されている。内筒４３１Ｂｂは、外形部４３１Ａの内側端の位置まで至らずに外筒４３１Ｂａよりも短く、端部が開口して形成されている。内筒４３１Ｂｂは、ロータリスイッチ４３０の軸４３０Ａに嵌合して接続される。外筒４３１Ｂａは、ロータリスイッチ４３０の軸４３０Ａの周りを囲んで配置される。
【００３０】
キャップ４３２は、円板状に形成されて、ダイヤル本体４３１の外形部４３１Ａの外端を覆うものである。
【００３１】
カバー４３３は、円筒状に形成されて、ダイヤル本体４３１の外形部４３１Ａの外周を覆うものである。カバー４３３は、操作ダイヤル４３の外周面を構成する。カバー４３３は、操作パネル４１の外側に突出する外側端と、操作パネル４１の内側に配置される内側端とが開口して形成されている。カバー４３３は、内側端において中心から離れる方向である径方向外側に突出するフランジ４３３ａが円筒状の周方向に連続して形成されている。フランジ４３３ａは、ダイヤル本体４３１における外形部４３１Ａのフランジ４３１Ａａと重なって配置される。
【００３２】
電子基板４４は、図３〜図５に示すように、操作パネル４１よりも内側に設けられ、板面４４Ａを操作パネル４１に向けて配置されている。電子基板４４は、板面４４Ａが所定間隔を空けて操作パネル４１で覆われている。電子基板４４は、操作パネル４１に覆われた板面４４Ａに、上述した操作スイッチ４２やロータリスイッチ４３０などの電子部品が実装されている。
【００３３】
基板ケース４５は、図３〜図５に示すように、電子基板４４を収容して保持するものである。基板ケース４５は、電子基板４４の板面４４Ａとは反対側の面に沿って配置された底板４５Ａにより当該反対側の面を覆い、かつ底板４５Ａの周縁から立ち上がる側板４５Ｂにより電子基板４４の周縁を囲むように形成されている。基板ケース４５は、電子基板４４が固定される。
【００３４】
支持部材４６は、図３〜図５に示すように、操作ダイヤル４３を支持するものである。支持部材４６は、電子基板４４の板面４４Ａに取り付けられている。支持部材４６は、図４に示すように、電子基板４４と操作パネル４１との間に挟まれるように設けられている。支持部材４６は、操作ダイヤル４３の周りを囲んで操作ダイヤル４３の回転方向に沿うように配置され、遮光部４６１と、凸部４６２と、を有する。
【００３５】
遮光部４６１について説明する。電子基板４４の板面４４Ａには、電子部品である発光素子４６０が実装されている。発光素子４６０は、操作ダイヤル４３の周囲に沿って複数（本実施形態では６個）設けられている。遮光部４６１は、操作ダイヤル４３の周囲に沿って複数（本実施形態では６個）形成された貫通孔として構成されている。貫通孔である各遮光部４６１は、各発光素子４６０を個々に囲むように設けられ、かつ操作パネル４１の内面４１Ｂに向く開口４６１Ａを有して形成されている。従って、各遮光部４６１は、各発光素子４６０の光が周囲に拡散することを防いで操作パネル４１に向けて照射するように機能する。操作パネル４１は、少なくとも遮光部４６１の開口に対応する部分が発光素子４６０の光を透過するように形成されている。
【００３６】
各遮光部４６１は、貫通孔を構成するように円筒状に形成されている。支持部材４６は、円筒状の各遮光部４６１を接続すると共に各開口４６１Ａを開ける端板４６３を有している。端板４６３は、各遮光部４６１の円筒状と各開口４６１Ａの位置で一部が一体に形成されている。端板４６３は、操作ダイヤル４３の周りを囲み操作ダイヤル４３の回転方向に沿う円弧状に形成されている。端板４６３は、操作パネル４１の内面４１Ｂに沿って操作パネル４１の内面４１Ｂと対向する端面４６３Ａを有する。この端面４６３Ａは、段差４６３Ｂが形成されている。段差４６３Ｂは、端面４６３Ａを、円弧状の内周で操作ダイヤル４３の近くを囲む円弧状の内端面部４６３Ａａと、円弧状の外周で操作ダイヤル４３の遠くを囲む円弧状の外端面部４６３Ａｂとに分離する。段差４６３Ｂは、内端面部４６３Ａａを外端面部４６３Ａｂよりも操作パネル４１の内面４１Ｂから１ｍｍ遠ざけるように形成されている。従って、操作ダイヤル４３に近い内端面部４６３Ａａは、操作ダイヤル４３から遠い外端面部４６３Ａｂが操作パネル４１の内面４１Ｂに接触しても、段差４６３Ｂにより設けられた隙間Ｈ（図４参照）によって操作パネル４１の内面４１Ｂに接触しない。また、支持部材４６は、各遮光部４６１の操作ダイヤル４３から遠ざかる側に、各遮光部４６１を囲む外板４６４を有している。外板４６４は、各遮光部４６１の円筒状と一部が一体に形成されている。外板４６４は、電子基板４４の板面４４Ａに対して立てて配置され、操作ダイヤル４３の回転方向に沿う円弧状に形成されている。外板４６４は、端板４６３と一体に形成されている。また、支持部材４６は、各遮光部４６１の操作ダイヤル４３に近づく側に、各遮光部４６１を囲む内板４６５を有している。内板４６５は、各遮光部４６１の円筒状と一部が一体に形成されている。内板４６５は、電子基板４４の板面４４Ａに対して立てて配置され、操作ダイヤル４３の回転方向に沿う円弧状に形成されている。内板４６５は、端板４６３と一体に形成されている。内板４６５は、端面４６３Ａよりも電子基板４４寄りで、操作ダイヤル４３の内側端のフランジ４３１Ａａ，４３３ａと対向する。また、支持部材４６は、内板４６５の操作ダイヤル４３に対向する面に連なって内板４６５の操作ダイヤル４３に対向する内側を塞ぐように底板４６６を有している。底板４６６は内板４６５と一体に形成されている。底板４６６は、電子基板４４の板面４４Ａに沿って設けられ、板面４４Ａに対向して配置されている。底板４６６は、操作ダイヤル４３の開口する内側端と対向する。底板４６６は、操作ダイヤル４３と電子基板４４との間に配置される。底板４６６は、電子基板４４の板面４４Ａに向けて貫通する孔４６６Ａが形成されている。の孔４６６Ａの開口縁は、操作ダイヤル４３側に向けて突出する凸条４６６Ｂで連続して囲まれている。
【００３７】
凸部４６２は、筒状に形成され、操作ダイヤル４３における軸部４３１Ｂを挿通するように形成されている。凸部４６２は、ロータリスイッチ４３０の軸４３０Ａと中心が一致するように設けられている。凸部４６２は、底板４６６と一体に形成されている。凸部４６２は、ロータリスイッチ４３０の軸４３０Ａを挿通し、この軸４３０Ａに嵌合した操作ダイヤル４３の軸部４３１Ｂにおける外筒４３１Ｂａの外周面に対して内周面が対面して配置される。従って、凸部４６２は、操作ダイヤル４３の軸部４３１Ｂの周りを囲み、かつロータリスイッチ４３０の軸４３０Ａの周りを囲んで配置される。
【００３８】
防壁４７は、操作ダイヤル４３と電子基板４４との間に設けられている。防壁４７は、板状に形成され、電子基板４４の板面４４Ａに沿って配置されている。防壁４７は、上述した支持部材４６に設けられている。電子基板４４は、板面４４Ａを水平方向に対して立てて配置されており、支持部材４６は、その下側部分において遮光部４６１、端板４６３、外板４６４、および内板４６５が途切れて形成されている。防壁４７は、この途切れた部分から底板４６６に連続しつつ底板４６６からさらに下側に延在して形成されている。防壁４７は、底板４６６と一体に形成されている。防壁４７は、操作ダイヤル４３側に向く面が底板４６６の面と一致して形成されている。防壁４７は、基板ケース４５の側板４５Ｂであって電子基板４４の周縁を超えて電子基板４４の外側に延在して形成されている。
【００３９】
また、防壁４７は、操作ダイヤル４３側に向く面に沿って上下方向に延在するリブ４７１が形成されている。リブ４７１は、複数設けられており、遮光部４６１、端板４６３、外板４６４、および内板４６５が途切れた両側部分の２箇所で外板４６４から連続した２つの外側リブ４７１Ａと、当該両側部分の間の２箇所で内板４６５から連続した２つの内側リブ４７１Ｂとを有している。また、当該両側部分では、遮光部４６１の開口４６１Ａよりも電子基板４４の板面４４Ａ側に低い端面４６３Ｃが形成され、この端面４６３Ｃの位置に従って内板４６５が電子基板４４の板面４４Ａ側に低く形成されている。各内側リブ４７１Ｂは、この端面４６３Ｃおよび内板４６５に連続して設けられ、上側の端部が端面４６３Ｃおよび内板４６５よりも高さであって端板４６３の内端面部４６３Ａａと同等の高さの位置に形成されている。各外側リブ４７１Ａは、上側の端部が端板４６３の内端面部４６３Ａａと同等の高さの位置に形成されている。
【００４０】
なお、操作パネル４１は、孔４１Ｃの周縁に連続して止水リング４１Ｄが設けられている。止水リング４１Ｄは、孔４１Ｃに沿って設けられ、操作パネル４１の外面４１Ａよりも外側に突出して配置される。また、止水リング４１Ｄは、孔４１Ｃに沿って設けられ、操作パネル４１の内面４１Ｂよりも内側に突出して配置される。この止水リング４１Ｄと、操作ダイヤル４３の外周面であるカバー４３３との間に隙間Ｓが設けられる。隙間Ｓは、操作ダイヤル４３の回転移動を許容するためのものである。そして、操作パネル４１の外面４１Ａよりも外側に突出した止水リング４１Ｄは、操作パネル４１の外面４１Ａに滴った水が隙間Ｓから操作パネル４１の内側に浸入することを防ぐ。また、操作パネル４１の内面４１Ｂよりも内側に突出した止水リング４１Ｄは、水が隙間Ｓから操作パネル４１の内側に浸入した場合に、この水が操作パネル４１の内面４１Ｂを伝わることを防ぐ。
【００４１】
また、操作パネル４１は、孔４１Ｃの周縁が、操作ダイヤル４３の内側端のフランジ４３１Ａａ，４３３ａに重なるように配置される。従って、図４に示すように、上記隙間Ｓの位置より視た操作パネル４１の内側には、フランジ４３１Ａａ，４３３ａが被さって存在している。
【００４２】
以上のような本実施形態の飲料供給機１は、操作パネル４１の外面４１Ａに滴った水が止水リング４１Ｄに沿って下方に流れて下方の隙間Ｓから操作パネル４１の内側に浸入した場合、水は、落下して操作ダイヤル４３のフランジ４３１Ａａ，４３３ａに至る。その後、水は、防壁４７により下側に流れ、電子基板４４が固定された基板ケース４５の側板４５Ｂを超えて電子基板４４の外側に流れる。また、操作パネル４１の外面４１Ａに滴った水が止水リング４１Ｄに沿って下方に流れて下方の隙間Ｓから操作パネル４１の内側に浸入し、操作パネル４１の内面４１Ｂに伝った場合、水は、防壁４７に落下して防壁４７により下側に流れ、電子基板４４が固定された基板ケース４５の側板４５Ｂを超えて電子基板４４の外側に流れる。また、操作パネル４１の外面４１Ａに滴った水が止水リング４１Ｄを伝って下方に流れることなく上方の隙間Ｓから操作パネル４１の内側に浸入した場合、水は、操作ダイヤル４３のフランジ４３１Ａａ，４３３ａに至る。その後、水は、支持部材４６の内板４６５により端板４６３側への浸入を阻止されつつ底板４６６に至り、底板４６６を伝わって防壁４７により下側に流れ、電子基板４４が固定された基板ケース４５の側板４５Ｂを超えて電子基板４４の外側に流れる。このとき、底板４６６は、操作ダイヤル４３と電子基板４４との間に設けられていて防壁として機能する。
【００４３】
なお、支持部材４６の底板４６６は、上述したように孔４６６Ａが形成されているが、孔４６６Ａの開口縁は操作ダイヤル４３側に向けて突出する凸条４６６Ｂで連続して囲まれている。このため、底板４６６を伝わる水は、凸条４６６Ｂにより孔４６６Ａに落ちることを阻止され、拡散が防止される。この結果、本実施形態の飲料供給機１は、支持部材４６により、水の浸入から電子基板４４を確実に保護できる。
【００４４】
このように、本実施形態の飲料供給機１は、操作パネル４１の孔４１Ｃから操作パネル４１の内側に浸入した水は、操作ダイヤル４３と電子基板４４との間に設けられた防壁４７により遮られ電子基板４４に至らない。従って、本実施形態の飲料供給機１は、防壁４７により、水の浸入から電子基板４４を保護できる。
【００４５】
防壁４７は、操作パネル４１の孔４１Ｃを介して浸入した水を電子基板４４の外側に排出する。具体的には、上述したように、防壁４７は、電子基板４４の外側に延在して形成されており、このため浸入した水が電子基板４４の外側に排出される。この結果、本実施形態の飲料供給機１は、防壁４７により、水の浸入から電子基板４４を確実に保護できる。
【００４６】
防壁４７のリブ４７１は、防壁４７上の水の流れを延在方向である下側に向けて案内する。具体的に、底板４６６を伝わってきた水は、各内側リブ４７１Ｂの間で案内される。また、遮光部４６１、端板４６３、外板４６４、および内板４６５が途切れた両側部分において遮光部４６１の開口４６１Ａよりも低く形成された端面４６３Ｃに伝わった水は、外側リブ４７１Ａと内側リブ４７１Ｂとの間で案内される。この結果、本実施形態の飲料供給機１は、防壁４７のリブ４７１により、防壁４７を流れる水の広がりを抑えつつ下側に案内できる。
【００４７】
支持部材４６は、操作ダイヤル４３の周りを囲むものであり、この支持部材４６に防壁４７を設けたことから、操作ダイヤル４３と操作パネル４１の孔４１Ｃとの間の隙間Ｓから操作パネル４１の内側に水が浸入した場合に、この水は、支持部材４６により囲まれて保持されながら防壁４７により電子基板４４が固定された基板ケース４５の側板４５Ｂを超えて流れる。この結果、本実施形態の飲料供給機１は、支持部材４６により、水の浸入から電子基板４４を確実に保護できる。
【００４８】
支持部材４６は、操作パネル４１の内面４１Ｂに対向して操作ダイヤル４３を囲む円弧状の端面４６３Ａを有し、端面４６３Ａは、段差４６３Ｂが形成されて操作ダイヤル４３を囲む内周の内端面部４６３Ａａが操作ダイヤル４３を囲む外周の外端面部４６３Ａｂよりも操作パネル４１の内面４１Ｂから遠ざかって隙間Ｈが設けられている。このため、操作ダイヤル４３と操作パネル４１の孔４１Ｃとの間の隙間Ｓから操作パネル４１の内側に水が浸入した場合に、この水は、隙間Ｈにより毛細管現象を生じず、外端面部４６３Ａｂへの浸入を阻止され、拡散が防止される。この結果、本実施形態の飲料供給機１は、支持部材４６における端面４６３の段差４６３Ｂにより、水の浸入から電子基板４４を確実に保護できる。
【００４９】
支持部材４６は、操作ダイヤルの周囲に沿って設けられた複数の発光素子を個々に囲み操作パネル４１に向けて端面４６３Ａにて開口する複数の遮光部４６１が形成されている。このため、上記の段差４６３Ｂで設けられた隙間Ｈにより、操作ダイヤル４３と操作パネル４１の孔４１Ｃとの間の隙間Ｓから操作パネル４１の内側に水が浸入した場合に、この水は、隙間Ｈにより毛細管現象を生じず、外端面部４６３Ａｂへの浸入を阻止され、遮光部４６１への拡散が防止される。この結果、本実施形態の飲料供給機１は、遮光部４６１が形成された支持部材４６における端面４６３の段差４６３Ｂにより、水の浸入から電子基板４４を確実に保護できる。
【００５０】
支持部材４６は、操作ダイヤル４３の回転の中心に設けられた軸部４３１Ｂを挿通する筒状の凸部４６２が形成されている。このため、操作ダイヤル４３と操作パネル４１の孔４１Ｃとの間の隙間Ｓから操作パネル４１の内側に水が浸入した場合に、この水は、凸部４６２により軸部４３１Ｂへの浸入を阻止され、軸部４３１Ｂが嵌合する電子部品であるロータリスイッチ４３０への拡散が防止される。この結果、本実施形態の飲料供給機１は、支持部材４６における凸部４６２により、水の浸入から電子基板４４を確実に保護できる。
【００５１】
［変形例］
防壁４７は、支持部材４６に設けられている例について説明したが、これに限定されない。例えば、防壁４７は、支持部材４６とは別部材で電子基板４４や、基板ケース４５や、操作パネル４１に設けられていてもよい。
【符号の説明】
【００５２】
１  飲料供給機
４１  操作パネル
４１Ｂ  内面
４１Ｃ  孔
４３  操作ダイヤル
４３０  ロータリスイッチ（電子部品）
４３１Ｂ  軸部
４４  電子基板
４４Ａ  板面
４６  支持部材
４６０  発光素子
４６１  遮光部
４６１Ａ  開口
４６２  凸部
４６３Ａ  端面
４６３Ａｂ  外端面部
４６３Ａａ  内端面部
４６３Ｂ  段差
４７  防壁
４７１  リブ
【図１】
2020059524.tif 000003
【図２】
2020059524.tif 000004
【図３】
2020059524.tif 000005
【図４】
2020059524.tif 000006
【図５】
2020059524.tif 000007